(57)【要約】【課題】本発明は、遊技機島がいかなる大きさであっても取り付け可能な遮蔽装置を提供することを課題とする。【解決手段】遮蔽装置１は、複数の遊技機３１が並設された既設の遊技機島３０に設置され、隣接する遊技機３１同士の間に配されるものであり、遮蔽部材２と、固定手段３を有する。固定手段３は、遮蔽部材２の上側を保持する上部固定部１２と、下側を保持する下部固定部１３を有する。そして、上部固定部１２には、遊技機の高さ方向に伸縮する伸縮機構が設けられ、固定手段３の高さ方向の調整を可能にしている。【選択図】図１５
2015016224.tif 000002
【特許請求の範囲】
【請求項１】
複数の遊技機が並設してなる遊技機島に設けられ、隣接する遊技機同士の間を仕切る遮蔽板を備えた遮蔽装置であって、
遮蔽板を遊技機島に固定する固定手段を有し、
固定手段は、遮蔽板を遊技機島に設置した状態を基準に、遮蔽板の上側を保持する上部固定部と、遮蔽板の下側を保持する下部固定部とを有し、
上部固定部と下部固定部のいずれか一方又は双方には、遮蔽板を遊技機島に設置した状態を基準に、遊技機の高さ方向に伸縮する伸縮機構が設けられていることを特徴とする遮蔽装置。
【請求項２】
上部固定部と下部固定部のいずれか一方又は双方には、遮蔽板を遊技機島に設置した状態を基準に、遮蔽板の遊技機の並設方向への回動を可能にする軸部材が設けられていることを特徴とする請求項１に記載の遮蔽装置。
【請求項３】
上部固定部と下部固定部のいずれか一方は、遊技機島に取り付けられる取付部材と、遮蔽板を保持する保持部材とを有し、それらを直接的又は間接的に接続して成るものであり、
前記伸縮機構は、その一部又は全部が、取付部材と保持部材との間に介在していることを特徴とする請求項１又は２に記載の遮蔽装置。
【請求項４】
上部固定部と下部固定部のいずれか一方は、遊技機島に取り付けられる取付部材と、遮蔽板を保持する保持部材とを有し、それらを直接的又は間接的に接続して成るものであり、
前記軸部材は、その一部又は全部が、取付部材と保持部材との間に介在していることを特徴とする請求項２に記載の遮蔽装置。
【請求項５】
上部固定部及び下部固定部は、遮蔽板を保持する係合部を備えたことを特徴とする請求項３又は４に記載の遮蔽装置。
【請求項６】
取付部材と保持部材は、中間部材を間に介在させて間接的に接続されると共に、保持部材と中間部材あるいは中間部材と取付部材は、軸部材を介して接続されており、
保持部材は、中間部材及び／又は取付部材に対して、相対的に回転可能であることを特徴とする請求項３〜５のいずれかに記載の遮蔽装置。
【請求項７】
遊技機島は、島構造を構成する島形成部材を備え、当該島形成部材は、遊技機島の外壁面を形成する壁面形成部材を有し、
上部固定部は、壁面形成部材における遊技機の設置高さよりも高い位置に取り付けられ、下部固定部は、壁面形成部材における遊技機の設置高さよりも低い位置に取り付けられることを特徴とする請求項１〜６のいずれかに記載の遮蔽装置。
【発明の詳細な説明】
【技術分野】
【０００１】
本発明は、遊技場において並設された遊技機同士の間に設けられる遮蔽装置に関するものである。
【背景技術】
【０００２】
ぱちんこ機やスロット機等の遊技機を遊技できる遊技場は、遊技機の稼働台数を増加させるべく、できるだけ多くの遊技機を設置できるレイアウトがとられている。すなわち、遊技場は、複数の遊技機が群をなした遊技機群（所謂遊技機島）を備え、その遊技機島が複数設置された構成とされている。また、各遊技機島では、複数の遊技機が並列状に並べられており、それらの間隔は極めて狭く設定されている。
【０００３】
そのため、特に、1つの遊技機島において、遊技者が隣り合う関係で遊技を行う場合においては、その遊技者同士が互いに近接した状態となり、一方の遊技者の行為が、他方の遊技者に不快感を及ぼしてしまうおそれがあった。その１つの例として、遊技者の喫煙行為が挙げられる。すなわち、隣接する遊技者のうちの一方の遊技者が煙草を喫煙すれば、その煙草から発せられる煙が、隣接する他方の遊技者に向けて流れ、その遊技者に対して不快感を抱かせてしまう場合があった。
【０００４】
このような事情により、近年、遊技場では、並設された遊技機同士の間（以下、台間）に、吹き出しエアーによって煙草の煙等を遮断可能（エアーカーテン機能）な装置（例えば特許文献１）や、物理的な壁を用いて煙草の煙等を遮断可能な分煙ボード（例えば特許文献２）等が設けられている。最近においては、省エネルギーの観点から、分煙ボードを設置する遊技場が増加傾向にある。
【先行技術文献】
【特許文献】
【０００５】
【特許文献１】特開平１０−１１８３２７号公報
【特許文献２】特開２０１２−１１１４０号公報
【発明の概要】
【発明が解決しようとする課題】
【０００６】
ところで、分煙ボードは、台間に設けるという構成上、遊技機島への設置にあたっては、専用のスペース（以下、分煙ボード用スペースという）を要する。そのため、従来より、遊技機島に分煙ボードを設ける場合は、遊技機島の設計段階から分煙ボード用スペースを確保する必要があった。すなわち、従来、分煙ボードは、遊技機島を新設する際に設けられるものであった。
【０００７】
したがって、従来の分煙ボードは、新設の遊技機島への設置が前提となっており、その設置には大掛かりな工事を要していた。それ故、既設の遊技機島に分煙ボードを設置する場合には、必然的に遊技機島の改修工事が必要となり、設備投資費が過度に嵩んでしまう問題が露呈していた。
【０００８】
そこで、本発明者は、大掛かりな工事を要することなく、既設の遊技機島に後付け可能な分煙ボードを試作した。
試作した分煙ボード１０１は、図１８に示すように、遮蔽板２０２と、遊技機島への固定に寄与する固定手段２０３を有し、遮蔽板２０２の上下の位置に、固定手段たる上部固定部２０５と下部固定部２０６が取り付けられた構成である。すなわち、この試作した分煙ボード２０１は、上部固定部２０５と下部固定部２０６を介して、遊技機島３０の特定の位置、例えば遊技機島３０の構成部材たる壁面形成部材３６に固定することが可能である。より詳細には、この分煙ボード２０１は、上部固定部２０５を、壁面形成部材３６たるランプ板４３の上部に係合させ、下部固定部２０６を、壁面形成部材３６の一種たる膳板５０の突端に係合させて、遊技機島３０への固定を可能にしている。
なお、固定手段の取り付け位置としては、ランプ板４３や膳板５０以外の場所を採用しても構わない。
【０００９】
ところが、この試作した分煙ボード２０１は、遊技機島の大きさが異なれば、適切に取り付けができないという欠点があった。
【００１０】
すなわち、遊技機島は、遊技場によってその大きさが異なる場合がある。そして、遊技機島の大きさが異なれば、ランプ板４３や膳板５０等の位置も変わる場合がある。一方、試作した分煙ボード２０１は、遊技機島の特定の位置への取り付けを可能としたものである。前記した試作した分煙ボード２０１は、ランプ板４３や膳板５０に取り付ける構成となっている。
【００１１】
以上の事実に鑑みると、遊技機島への後付けを可能とした分煙ボード２０１では、遊技機島の大きさに合わせて、固定手段の構造（特に高さ方向の長さ）を変更しなければ適切に固定することができない。しかしながら、遊技機島の大きさに合わせて異なる固定手段を用意するのは極めて非効率であるため、改善する必要性が高かった。
【００１２】
そこで、本発明では、試作品を改善するべく、遊技機島がいかなる大きさであっても取り付け可能な遮蔽装置を開発することを課題とする。
【課題を解決するための手段】
【００１３】
上記課題を解決するために提供される請求項１に記載の発明は、複数の遊技機が並設してなる遊技機島に設けられ、隣接する遊技機同士の間を仕切る遮蔽板を備えた遮蔽装置であって、遮蔽板を遊技機島に固定する固定手段を有し、固定手段は、遮蔽板を遊技機島に設置した状態を基準に、遮蔽板の上側を保持する上部固定部と、遮蔽板の下側を保持する下部固定部とを有し、上部固定部と下部固定部のいずれか一方又は双方には、遮蔽板を遊技機島に設置した状態を基準に、遊技機の高さ方向に伸縮する伸縮機構が設けられていることを特徴とする遮蔽装置である。
【００１４】
本発明の遮蔽装置は、固定手段として、上部固定部と下部固定部を有し、これらの固定部を介して、遮蔽板を遊技機島に固定する構成となっている。例えば、上部固定部や下部固定部を、遊技機同士の間（台間）における遊技機島の壁面（ランプ板や膳板等）に対して、後付け可能な構成とすることができる。かかる構成を採用することにより、固定手段たる上部固定部と下部固定部とを介して、遮蔽板を既設の遊技機島に容易に固定することが可能となるため、設置に際して、大掛かりな工事を要することがなくなる。これに伴い、わざわざ専用の業者に依らなくとも、遊技場内のスタッフ等によって遮蔽装置の設置が行えるようになるため、導入コストの大幅な削減を図ることが可能となる。
【００１５】
さらに、本発明では、いかなる大きさの遊技機島にも対応させるべく、上部固定部や、下部固定部に、遊技機の高さ方向に伸縮自在な伸縮機構が備えられている。これにより、上部固定部や下部固定部の固定位置が、高さ方向に可変となるため、遊技機島の大きさが異なる場合であっても、上部固定部や下部固定部の固定位置を切り換えることで、遮蔽板を遊技機島に対して確実に固定することができる。すなわち、本発明においては、伸縮機構の伸縮作用によって、固定手段を遊技機島の大きさに適応させることが可能となるため、遊技機島の大きさに合わせて異なる構造の固定手段を用意する必要がなくなる。つまり、本発明によれば、遊技機島に対する汎用性を向上させることができる。
【００１６】
ところで、遊技機島に取り付けられた分煙ボードは、隣接する遊技機間に漂い得る煙草の煙等を遮蔽するという機能上、通常、遮蔽板の平面が、遊技機間に向けられた姿勢で設置されている。そして、前記姿勢を維持させるべく、遮蔽板の基端部を、強固に保持させている。すなわち、この種の分煙ボードは、遮蔽板の平面が遊技者等から外力を受け易い姿勢である上、遊技機の並設方向に外力が加わったとしても、それを逃がそうとする機能は持ち合わせていない。つまり、従来の分煙ボードは、遮蔽板に予期せぬ外力が作用した場合に、当該遮蔽板の基端部にその力が集中し易く、破損等を生じ易い構造であった。
【００１７】
そこで、かかる問題を解決するべく提供される請求項２に記載の発明は、上部固定部と下部固定部のいずれか一方又は双方には、遮蔽板を遊技機島に設置した状態を基準に、遮蔽板の遊技機の並設方向への回動を可能にする軸部材が設けられていることを特徴とする請求項１に記載の遮蔽装置である。
【００１８】
本発明の遮蔽装置は、遮蔽板を遊技機島に固定する上部固定部や下部固定部に軸部材が設けられ、その軸部材によって、遮蔽板を遊技機の並設方向に回動できる構成とされている。すなわち、本発明の遮蔽装置は、遮蔽板に対して、不意に遊技機の並設方向の外力が作用することがあっても、その外力を逃がす方向に回動するため、遮蔽板の基端部に掛かる負担を軽減することができる。これにより、遊技者等が移動する際や、作業者等がメンテナンス等の作業を行う場合に、遮蔽板に衝突等することがあったとしても、本発明の回動機能によって、その衝突等によって生じる外力を緩和できるため、当該遮蔽板の基端側が破損等を生じてしまうことはほぼない。
【００１９】
本発明の遮蔽装置は、上部固定部と下部固定部のいずれか一方は、遊技機島に取り付けられる取付部材と、遮蔽板を保持する保持部材とを有し、それらを直接的又は間接的に接続して成るものであり、前記伸縮機構は、その一部又は全部が、取付部材と保持部材との間に介在していることが望ましい。（請求項３）
【００２０】
本発明の遮蔽装置は、上部固定部と下部固定部のいずれか一方は、遊技機島に取り付けられる取付部材と、遮蔽板を保持する保持部材とを有し、それらを直接的又は間接的に接続して成るものであり、前記軸部材は、その一部又は全部が、取付部材と保持部材との間に介在していることが望ましい。（請求項４）
【００２１】
請求項５に記載の発明は、上部固定部及び下部固定部は、遮蔽板を保持する係合部を備えたことを特徴とする請求項３又は４に記載の遮蔽装置である。
【００２２】
本発明の遮蔽装置は、上部固定部及び下部固定部に対して、遮蔽板を保持する係合部が設けられているため、当該上部固定部及び下部固定部への遮蔽板の取り付けが容易である。
【００２３】
請求項６に記載の発明は、取付部材と保持部材は、中間部材を間に介在させて間接的に接続されると共に、保持部材と中間部材あるいは中間部材と取付部材は、軸部材を介して接続されており、保持部材は、中間部材及び／又は取付部材に対して、相対的に回転可能であることを特徴とする請求項３〜５のいずれかに記載の遮蔽装置である。
【００２４】
本発明の遮蔽装置は、軸部材によって、保持部材と中間部材を接続、あるいは、中間部材と取付部材を接続すると共に、遮蔽板を保持する保持部材を、中間部材や取付部材に対して、相対的に回動可能にしたため、部品点数を抑えた合理的な構成にすることができる。すなわち、本発明では、軸部材が、接続機能と回動機能の双方を兼ね備えた構成となっている。その結果、遮蔽装置が簡易な構造となり、生産コストを抑制することができる。
【００２５】
ところで、遊技機島には、島構造を構成する部材として、外壁面を形成する壁面形成部材がある。一般的に、遊技機島の壁面形成部材には、天井壁を形成する天板と、当該島の長手側側壁上部を形成する幕板と、その直下であって遊技機の上方に配されるランプ板と、遊技機の下方に配される腰板と、腰板のさらに下方に配される幅木と、必要に応じて、隣接する遊技機間に配される台間壁等がある。また、この種の遊技機島には、遊技機と腰板との間の位置に、島の外側に張り出した膳板が設けられている。この膳板は、壁面形成部材の一部ともなり得る部分であり、遊技機が載置される領域と、遊技機から払い出された遊技媒体を貯留可能な貯留箱等を載置できる領域を有する。
一方、一般的に使用される遮蔽板は、遊技機の高さと同程度のサイズのものが採用される。つまり、遮蔽板は、遊技機島のランプ板と膳板との間に収まるサイズのものが多用されている。
【００２６】
そこで、既存の遊技機島への取り付け容易性の観点から提供される請求項７に記載の発明は、遊技機島は、島構造を構成する島形成部材を備え、当該島形成部材は、遊技機島の外壁面を形成する壁面形成部材を有し、上部固定部は、壁面形成部材における遊技機の設置高さよりも高い位置に取り付けられ、下部固定部は、壁面形成部材における遊技機の設置高さよりも低い位置に取り付けられることを特徴とする請求項１〜６のいずれかに記載の遮蔽装置である。
【００２７】
本発明の遮蔽装置は、隣接する遊技機同士の間であって、壁面形成部材における遊技機の設置位置よりも高い位置に上部固定部を固定し、低い位置に下部固定部を固定するため、既存の遊技機島に対する遮蔽板の取り付けの容易化を図ることが可能である。また、本発明においては、遊技機同士の間に固定手段が設置されることはなく、主に遮蔽板が配される構成であるため、当該遊技機同士の間に、十分なスペースがなくとも容易に設置することができる。
【発明の効果】
【００２８】
本発明の遮蔽装置は、遮蔽板を遊技機島に固定する固定手段に伸縮機構を設けたため、その伸縮作用によって、固定手段をその遊技機島の大きさに適応させることができる。その結果、遮蔽装置の汎用性を高めることができる。
【図面の簡単な説明】
【００２９】
【図１】本発明の実施形態に係る遮蔽装置が設置された遊技機島を示す斜視図である。
【図２】図１の遮蔽装置に注目した斜視図である。
【図３】図２の遮蔽装置を示す分解斜視図である。
【図４】遮蔽部材の接続部材に注目した斜視図である。
【図５】図４の接続部材を示すＡ−Ａ断面図である。
【図６】上部固定部を示す分解斜視図である。
【図７】図６の取付部材を示す分解斜視図である。
【図８】図７の固定側部材を示す側面図である。
【図９】図７の可動側部材を示す平面図である。
【図１０】図３の中間部材を示す分解斜視図である。
【図１１】図６の保持部材を別の角度から見た斜視図である。
【図１２】図１１の保持部材を示す分解斜視図である。
【図１３】上部固定部の主たる構成部材の接続関係を示す概念図である。
【図１４】下部固定部材を示す側面図である。
【図１５】図１の遊技機島に設置された遮蔽装置を示すＢ−Ｂ断面図である。
【図１６】遮蔽装置の回動機能を説明するための説明図であり、（ａ）は遮蔽板に外力が掛かる前の状態を示し、（ｂ）は遮蔽板に外力が掛かった直後の状態を示す。
【図１７】遮蔽装置の伸縮機能を説明するための説明図であり、（ａ）は遊技機島への設置前の状態を示し、（ｂ）は遊技機島への設置後を示す。
【図１８】試作した遮蔽装置を示す説明図である。
【発明を実施するための形態】
【００３０】
以下に、本発明の実施形態に係る遮蔽装置について説明する。
本実施形態に係る遮蔽装置１は、図１に示すように、複数のぱちんこ機やスロット機等の遊技機３１が群をなして形成された既設の遊技機島３０に好適に設置されるものであり、遮蔽部材２の他、当該遮蔽部材２を遊技機島３０に固定する固定手段３を、主たる構成部材として備えている（図２）。
【００３１】
まず、遮蔽部材２について説明する。
遮蔽部材２は、図３に示すように、遮蔽板５と、接続部材６とで構成されている。
【００３２】
（遮蔽板について）
遮蔽板５は、ポリプロピレン（ＰＰ）やポリエチレンテレフタラート（ＰＥＴ）等の熱可塑性樹脂によって成形された透明性が高い板状体である。そして、遮蔽板５は、図３に示すように、一部の欠落部分を除けば、概ね長方形状を呈した外観となっている。具体的には、遮蔽板５は、長手方向一方の端部側（遊技機島３０に固定された際に下方に位置する端部側）に欠落部ｋが設けられ、長手方向他方の端部側（遊技機島３０に固定された際に上方に位置する端部側）の幅（短手方向長さ）が、長手方向一方の端部側の幅よりも大きい形状を呈している。
【００３３】
なお、遮蔽板５のサイズは、長手方向長さ（高さ）ｈが遊技機３１の高さ（約８０〜８２ｃｍ、好ましくは８１ｃｍ）とほぼ同程度で、幅ｗにおいては、高さ方向上方側の幅ｗ１が遊技機島３０の膳板５０の張り出し長さ（約１５〜２０ｃｍ、好ましくは１８ｃｍ）の２倍程度で、高さ方向下方側の幅ｗ２が、膳板５０と同程度であり、厚みｔが２〜６ｍｍ、好ましくは２〜３ｍｍである。
【００３４】
ここで、遮蔽板の主な機能としては、一般的に、遊技機島３０において隣接する遊技者からの煙草の煙等を遮断するということが挙げられる。つまり、煙等の遮断という観点からすれば、遮蔽板に対しては、大きな強度が求められることはない。そのため、コストの観点からすれば、遮蔽板はできるだけその部材厚を薄くすることが望ましい。ところが、ＰＥＴ等の熱可塑性樹脂を用いて遮蔽板を成形した場合、薄くし過ぎると、遮蔽板が自身の平面的広がりを自己保持する能力が低下してしまうといった問題が露呈した。
【００３５】
そこで、本実施形態では、遮蔽板５に対して、図３に示すように、遮蔽板５の平面の広がりを自立して一定の状態に維持させるために、補助部材１１が取り付けられている。補助部材１１は、長尺状を呈した部材であり、樹脂製あるいはゴム性のものが採用されている。そして、この補助部材１１には、長手方向に沿って図示しない溝が形成されている。すなわち、補助部材１１は、この溝を介して、遮蔽板５に装着される。そして、本実施形態では、補助部材１１は、遮蔽板５の外周形状に沿った一部の縁端に設けられる。具体的には、補助部材１１は、主に、遮蔽板５の高さ方向に沿った辺に装着される。
ただし、遮蔽板５の部材厚を所定の厚みに調整して、当該遮蔽板５自身の平面的広がりを自己保持する能力を高めるような構成にすれば、補助部材１１を省略しても構わない。
【００３６】
（接続部材について）
接続部材６は、遮蔽板５の高さ方向両端部（高さ方向上下の端部）に設けられるものであり、図３に示すように、接続本体部２１と、その接続本体部２１に固定された接続側係合部２２とで構成されている。
【００３７】
接続本体部２１は、遮蔽板５の高さ方向一方（下方）の端部に配される下部本体部２１ａと、遮蔽板５の高さ方向他方（上方）の端部に配される上部本体部２１ｂがある。
【００３８】
上部本体部２１ｂは、金属により成形された部分であり、遮蔽板５の高さ方向上方の端部の辺とほぼ同等の長さ（＝幅ｗ１）を有した長尺体である。そして、この上部本体部２１ｂは、図４、５に示すように、その断面形状がほぼ正方形を呈した構造となっている。また、上部本体部２１ｂは、断面を基準とした１つの面に、長手方向に沿ったスリット５１が設けられている。スリット５１の幅は、遮蔽板５の厚みｔとほぼ同じ大きさであり、概ね２〜６ｍｍである。
なお、下部本体部２１ａは、遮蔽板５の高さ方向上方の端部の辺とほぼ同等の長さ（＝幅ｗ２）を有した長尺体であるため、上部本体部２１ｂと長手方向長さが異なるが、その他の点に関しては上部本体部２１ｂとほぼ同一の構造であるため、説明を省略する。
【００３９】
接続側係合部２２は、図４に示すように、一定の長さを有した長尺状の板片である。具体的には、接続側係合部２２は、自身の長手方向を、接続本体部２１の長手方向に沿って設けられるものであり、当該自身の長手方向長さが遮蔽板５の幅ｗよりも短いものが採用されている。より詳細には、接続側係合部２２は、遮蔽板５の高さ方向下方端部の辺の長さ（＝幅ｗ２）の１／３〜１／２倍程度の長さのものが採用されている。
【００４０】
また、接続側係合部２２は、所定の厚みを有しており、図５に示すように、厚み方向の断面形状がほぼ「Ｔ」字型を呈した構造となっている。すなわち、接続側係合部２２は、断面の「Ｔ」字を基準に、鉛直方向に延びた鉛直部５２と、水平方向に延びた水平部５３を有している。そして、本実施形態では、接続側係合部２２が、鉛直部５２の突端部を、接続本体部２１の一面に当接させた状態で、ねじや接着剤等の締結要素で固定されている。具体的には、接続側係合部２２は、スリット５１が設けられた面と対面する面（以下、固定側面という）に当接した状態で固定されている。またこのとき、接続側係合部２２の水平部５３は、接続本体部２１の前記固定側面から一定距離離反した位置に配され、前記固定側面に対してほぼ平行な姿勢となっている。
なお、本実施形態では、下部接続部２１ａに、１つの接続側係合部２２が設けられ、上部接続部２１ｂに、２つの接続側係合部２２が設けられている。
【００４１】
続いて、固定手段について説明する。
固定手段３は、図２に示すように、上部固定部１２と下部固定部１３とで構成されている。
【００４２】
（上部固定部について）
上部固定部１２は、遮蔽部材２に設けられた上部接続部２１ｂと接続して、遊技機島３０への取り付けに寄与する部分であり、図３、６に示すように、主に、取付部材２５と、中間部材２６と、保持部材２７の３つの部材によって構成されている。
【００４３】
（i）取付部材
取付部材２５は、図７に示すように、遊技機島３０側に固定される固定側部材３７と、固定側部材３７に対して相対的に回動可能に接続される可動側部材３８と、中間部材２６との接続に寄与する軸部材１５を有する。
【００４４】
（i−１）固定側部材
固定側部材３７は、金属製の板体を折り曲げ加工を施して成形された部材である。具体的には、固定側部材３７は、図８に示すように、全体のほぼ中央に配された１つの平面部（以下、中央平面部という）６０を有し、さらにその中央平面部６０における対向する一対の端部に、所定の角度で折り曲げられた屈曲部６１、６２を備えた構成である。
【００４５】
１つの屈曲部６１は、図７、８に示すように、中央平面部６０の上方側に位置しており、当該中央平面部６０に対して、ほぼ９０度の方向に折り曲げられている（以下、上部屈曲部６１という）。すなわち、この上部屈曲部６１は、中央平面部６０に対して、ほぼ直交する方向に張り出した上部張出壁６３を有する。また、上部屈曲部６１は、張り出し端部側がさらに折り曲げられており、折曲壁６４が形成されている。この折曲壁６４は、上部張出壁６３に対して、ほぼ９０度に折り曲げられた部分であり、中央平面部６０と対向する姿勢となっている。
【００４６】
すなわち、上部屈曲部６１は、中央平面部６０の上端部からほぼ水平方向となる姿勢に折り曲げられ、さらに張り出し端部側を鉛直下方に折り曲げた構成となっている。
なお、本実施形態では、折曲壁６４のほぼ中央に貫通孔（図示しない）が形成されており、その貫通孔に取付調整具８０が挿着されている（図８）。この取付調整具８０は、雄ねじ部を備えたボルト形状の部材である。
【００４７】
別の１つの屈曲部６２は、図７に示すように、中央平面部６０の下方側に位置しており、当該中央平面部６０を基準として、上部屈曲部６１と概ね鏡像の位置関係となっている（以下、下部屈曲部６２という）。すなわち、下部屈曲部６２は、中央平面部６０に対して、ほぼ９０度の方向に折り曲げられた下部張出壁６５を有する。より具体的には、この下部張出壁６５は、前記した上部張出壁６３を基準にすれば、その張り出し方向が真逆の方向に向けられている。また、下部屈曲部６２は、下部張出壁６５の張り出し方向に沿った一対の側壁６６が設けられている。そして、この一対の側壁６６には、対向する位置に、軸挿着用の取付側軸孔６７が設けられている。
【００４８】
（i−２）可動側部材
可動側部材３８は、固定側部材３７と同様、金属製の板体を折り曲げ加工を施して成形された部材である。具体的には、可動側部材３８は、断面形状が概ね「コ」字状を呈した部材であり、後述する中間部材２６との接続に寄与する底壁６８と、その底壁６８から立ち上がった一対の側壁６９とで構成されている。
【００４９】
底壁６８は、図９に示すように、全体が長方形状を呈した平面状の部分であり、長手方向に沿って所定の間隔で、方形状の開口７１が複数（本実施形態では３つ（７１ａ、７１ｂ、７１ｃ））形成されている。これらの開口７１ａ〜７１ｃは、いずれもほぼ同一の大きさである。また、底壁６８には、長手方向一方（図９の左方向）の端部寄りの位置であって、開口７１ａと開口７１ｂとの間の位置に、円形状の底壁軸孔７０が設けられている。すなわち、この底壁軸孔７０は、底壁６８の平面上であって、長手方向中央からずれた位置に配されている。
【００５０】
一対の側壁６９は、図７に示すように、その外観がほぼ直角三角形を呈した部分であり、底壁６８の長手方向に沿って所定の間隔で、異なる大きさの開口７３、７４が設けられている。この開口７３、７４は、いずれも方形状を呈している。また、この一対の側壁６９には、底壁６８の長手方向他方（図７の右方向）の端部寄りの位置に、円形状の側壁軸孔７２が設けられている。すなわち、側壁軸孔７２は、側壁６９と同様、互いに対向するような対構造となっている。そして、本実施形態では、可動側部材３８の側壁軸孔７２は、固定側部材３７の取付側軸孔６７と連通する。すなわち、可動側部材３８と固定側部材３７は、側壁軸孔７２及び取付側軸孔６７を連通状態にし、所定の軸８９を用いて接続される。
【００５１】
（i−３）軸部材
軸部材１５は、取付部材２５と中間部材２６とを相対的に回動可能に接続するものであり、雌ねじが形成されたピン部材８１と、雄ねじが形成されたねじ部材８２とで構成されている。そして、本実施形態では、ピン部材８１を固定側部材の底壁軸孔７０に挿通し、当該ピン部材８１に対して、中間部材２６側からねじ部材８２を挿着して、取付部材２５と中間部材２６を接続する。
【００５２】
（ii）中間部材
中間部材２６は、図６、１０に示すように、取付部材２５側と接続されるケース体５５と、ケース体５５に一体的に取り付けられる蓋体５６と、保持部材２７との接続に寄与する伸縮機構１６を有する。
【００５３】
（ii−１）ケース体
ケース体５５は、外観が直方体状を呈した中空部材である。そして、ケース体５５には、長手方向に延びた外部壁のうちの１つの壁（以下、上部壁という）において、その長手方向中央からずれた位置に軸挿通用のケース体軸孔７６が設けられている。さらに、このケース体５５の上部壁には、ケース体軸孔７６を間に、長手方向に沿うようにして円形状の開口７７が２つずつ設けられている。また、ケース体５５は、上部壁と対向する側の壁（底部壁）が欠落した開放構造となっており、当該開放部に蓋体５６が配される。
なお、上部壁から垂下した側壁には、蓋体５６と接続するために挿通されるねじ用の孔（図示しない）が設けられている。
【００５４】
（ii−２）蓋体
蓋体５６は、断面形状が概ね「コ」字型の溝型鋼であり、ケース体５５の欠落した壁を担う部材である。すなわち、蓋体５６は、ケース体５５の上部壁と同等の大きさの底部壁と、その底部壁から直交方向に立ち上がった一対の側壁を有する。そして、蓋体５６には、底部壁の長手方向両端側に、伸縮機構１６の一部（後述する雄ねじ部８５の軸部）を挿通するための円形状の孔（以下、締結用孔という）７８ａ、７８ｂが設けられている。さらに、蓋体５６の底部壁には、２つの締結用孔７８ａ、７８ｂの間に、３つの円形状の開口７９が設けられている。
なお、蓋体５６の側壁には、ケース体５５との接続のために挿通されるねじ用の孔（図示しない）が設けられている。
【００５５】
（ii−３）伸縮機構
伸縮機構１６は、中間部材２６と保持部材２７との間に伸縮力を付与しつつ、両者を接続するものであり、雄ねじ部８５と、雌ねじ部８６と、圧縮コイルばね（付勢手段）８７と、ばね受け部８８とで構成されている。
雄ねじ部８５は、公知のボルトであり、主に頭部と軸部を備えている。
雌ねじ部８６は、公知のナットであり、雄ねじ部８５の軸部と螺合する部分である。
圧縮コイルばね８７は、公知のそれと同様のものであり、圧縮方向の外力が掛かると、それに対向する付勢力（反力）を発揮するものである。
ばね受け部８８は、圧縮コイルばね８７に軸方向の反力を発生させることを可能にするものであり、円板状の部材が採用されている。なお、このばね受け部８８には、中央に雄ねじ部８５が挿通される孔が設けられている。
【００５６】
そして、本実施形態では、伸縮機構１６が、雄ねじ部８５の軸部に、ばね受け部８８、圧縮コイルばね８７の順番で挿通し、当該軸部の先端側に雌ねじ部８６を螺合させて組み合わせた構成となっている。
なお、伸縮機構１６は、雄ねじ部８５の軸部に各部材を配した状態で締結用孔７８ａ、７８ｂに挿通され、保持部材２７側から当該軸部の端部に雌ねじ部８６を取り付けて、中間部材２６と保持部材２７を伸縮自在に接続する。
【００５７】
（iii）保持部材
保持部材２７は、図６、１１に示すように、枠体３４と、遮蔽部材２と係合する２つの保持側係合部２４を有する。
【００５８】
（iii−１）枠体
枠体３４は、図１２に示すように、断面形状が概ね「コ」字型を呈した溝型鋼である。すなわち、枠体３４は、図６に示すように、上部壁４６を有し、その上部壁４６から垂下した一対の側壁４７を有する構成である。そして、上部壁４６には、当該枠体３４の長手方向両端側に、伸縮機構１６の一部たる雄ねじ部８５が挿通される挿通孔９０ａ、９０ｂが設けられている。また、上部壁４６には、中間部材２６の蓋体５６と同様、挿通孔９０ａ、９０ｂの間、つまり枠体３４の長手方向中央寄りの位置に、３つの円形状の開口９１が設けられている。またさらに、この上部壁４６には、挿通孔９０ａ、９０ｂの外側、つまり枠体３４の長手方向端部寄りの位置に、保持側係合部２４を固定するための孔（以下、ねじ用孔）９１ａ、９１ｂが設けられている。
【００５９】
また、一対の側壁４７には、枠体３４の長手方向両端側において、切欠き部９２が設けられている。具体的には、この切欠き部９２は、一対の側壁４７のうちの一方側に２箇所設けられており、他方側には設けられていない。すなわち、この２箇所の切欠き部９２ａ、９２ｂは、同一の側壁４７であって、同一の直線上に配されている。
なお、本実施形態では、前記した上部壁４６のねじ用孔９１ａ、９１ｂが、側壁４７における切欠き部９２ａ、９２ｂが位置する領域と同一領域に配されている。
【００６０】
（iii−２）保持側係合部
２つの保持側係合部２４は、いずれも同様の構造であり、図６、１１に示すように、枠体３４の切欠き部９２ａ、９２ｂが位置する領域に固定されるものである。そして、保持側係合部２４は、図１２に示すように、枠体３４に一体的に固定される固定係合体１７と、固定係合体１７に対して相対的に移動可能な移動係合体１８と、移動係合体１８を付勢する圧縮コイルばね１９とで構成されている。
【００６１】
固定係合体１７は、金属を加工して形成されたものであり、図１２に示すように、外観がちりとりのゴミ受けのような形状を呈した部材である。そして、固定係合体１７は、ちりとりのゴミ受け底部に相当する部分を枠体３４側に当接させた状態で固定される。すなわち、固定係合体１７は、枠体３４側に当接する当接壁９３と、当接壁９３に対して直交方向に立ち上がった３つの側壁９５ａ〜９５ｃとを有した構成となっている。
【００６２】
当接壁９３は、平面視形状がほぼ長方形であり、枠体３４に設けられたねじ用孔９１ａ、９１ｂと連通し得る孔（以下、ねじ用孔）９６を備えている。
【００６３】
側壁９５ａ〜９５ｃは、当接壁９３における３つの辺から当該当接壁９３に対して直交方向に延びた壁である。そして、対向する一対の側壁９５ａ、９５ｃには、移動係合体１８を相対移動可能に保持するガイド兼保持部１００と、遮蔽部材５と係合する係合突起１０１が設けられている。ガイド兼保持部１００は、側壁９５ａ、９５ｃの一部（当接壁９３の辺の延伸方向中間辺り）を切り込んで加工された部分であり、当接壁９３に向けて折り曲げられた部分である。一方、係合突起１０１は、側壁９５ａ、９５ｃの他の一部（当接壁９３の辺の延伸方向一方の端部）を「Ｌ」字型に加工した部分であり、当該突起の先端側が特定の方向に向けられた部分である。より具体的には、この係合突起１０１は、その突起の先端側を、当接壁９３の辺の延伸方向一方の端部側から他方の端部側に向けられている。
【００６４】
移動係合体１８は、樹脂によって成形されたものであり、図１２に示すように、外観が概ね「コ」字型を呈した部材である。そして、この移動係合体１８は、図１３に示すように、「コ」字の中間側の面を固定係合体１７の当接壁９３に当接させた状態で、当該係合体１７に対して相対移動可能に接続される。すなわち、移動係合体１８は、当接壁９３側に当接する摺動壁１０３と、摺動壁１０３の面から突出した係合壁１０５及び押圧壁１０６とを有した構成となっている。
【００６５】
摺動壁１０３は、平面視形状がほぼ長方形であり、固定係合体１７の当接壁９３に設けられたねじ用孔９６よりも大きい長孔１０７が設けられている。この長孔１０７は、ねじ用孔９６に挿着されたねじの干渉を回避するための孔である。つまり、摺動壁１０３は、長孔１０７によって、移動制限を受けることはない。また、摺動壁１０３には、長孔１０７を挟む位置に、ストッパ９８が設けられている。このストッパ９８は、固定係合体１７のガイド兼保持部１００が衝突し得る部分であり、移動係合体１８の移動領域を制限する機能を有する。
【００６６】
係合壁１０５は、摺動壁１０３の１つの縁端（辺）に沿って設けられており、その内側（摺動壁１０３の内側）の突端側には、傾斜部Ｓが設けられている。この傾斜部Ｓは、係合壁１０５が設けられた摺動壁１０３の縁端に対向する他の縁端（辺）に向けて尖形状となった部分である。より詳細には、傾斜部Ｓは、図１２に示す摺動壁１０３に対して直交する方向を上下方向とした場合に、上部から下方に向けて先細る形状である。また、係合壁１０５には、その外側（摺動壁１０３の外側）に、図示しない穴が設けられている。この穴は、移動係合体１８に対して、付勢力を付与する圧縮コイル１９ばねの一部が収容される部分である。
【００６７】
押圧壁１０６は、摺動壁１０３の他の１つの縁端（係合壁１０５が配された辺と対向する辺）に沿って設けられており、摺動壁１０３の平面に対して直交するように設けられた壁である。
【００６８】
そして、保持側係合部２４は、固定係合体１７と移動係合体１８のそれぞれを、所定の姿勢にして、ねじ等の接続手段で枠体３４に取り付けられている。すなわち、保持側係合部２４は、図１１に示すように、固定係合体１７の一対の側壁９５ａ、９５ｃと、移動係合体１８の係合壁１０５及び押圧壁１０６を、互いに直交する状態で重ね合わせ、固定係合体１７を介して、枠体３４に固定されている。より詳細には、保持側係合部２４は、固定係合体１７の側壁９５内に移動係合体１８を配し、固定係合体１７のガイド兼保持部１００によって、移動係合体１８を固定係合体１７に対して一体的に接続している。
【００６９】
このときに、固定係合体１７のガイド兼保持部１００は、図１１に示すように、移動係合体１８のストッパ９８と押圧壁１０６の間（ストッパ−押圧間という）に位置する。そのため、移動係合体１８は、ストッパ−押圧間の遊びの分、固定係合体１７の一対の側壁９５ａ、９５ｃの延伸方向に移動することが可能である。つまり、本実施形態では、移動係合体１８を、固定係合体１７に対して、相対移動可能に接続している。また同時に、移動係合体１８の係合壁１０５と、固定係合体１７の１つの側壁９５ｂとの間には、圧縮コイルばね１９が配されている。すなわち、圧縮コイルばね１９は、軸方向一方の端部側が係合壁１０５の図示しない穴に挿通され、他方の端部側が側壁９５ｂに当接された配置である。これにより、移動係合体１８は、圧縮コイルばね１９によって、常時、固定係合体１７の側壁９５ｂから離反する方向に付勢された状態が維持される。
【００７０】
そして、このようにして組み合わされた保持側係合部２４を、所定の姿勢で枠体３４に固定している。すなわち、保持側係合部２４は、移動係合体１８の押圧壁１０６を切欠き部９２ａ、９２ｂ側に配し、さらに移動係合体１８の係合壁１０５を側壁４７側に配して、固定係合体１７のねじ用孔９６に挿通されたねじ等によって、枠体３４に固定している。このとき、保持側係合体２４の移動係合体１８は、枠体３４に対して、相対移動可能な状態で固定されている。すなわち、移動係合体１８は、枠体３４に対して、移動係合体１８の一部を切欠き部９２ａ、９２ｂから退出入可能な状態で設置されている。
【００７１】
（下部固定部について）
下部固定部１３は、遮蔽板に設けられた下部接続部２１ａと接続して、遊技機島３０への取り付けに寄与する部分である。そして、本実施形態では、下部固定部１３は、図３に示すように、嵌合部材２８と、１つの保持側係合部２９とで構成されている。
なお、下部固定部１３の保持側係合部２９は、上記した上部固定部１２の保持側係合部２４の固定係合体同様のものであるため、説明を省略する。
【００７２】
嵌合部材２８は、図１３に示すように、外観が概ね「コ」字型を呈しており、上面壁１１０と、その上面壁１１０よりも長さが短い下面壁１１１と、それらを繋ぐ接続壁１１２とを備えている。そして、上面壁１１０に保持側係合部２９が取り付けられ、下面壁１１１に取付調整具８４が取り付けられている。なお、取付調整具８４は、上記した取付調整具８０と同様のものであり、下面壁１１１に設けられた図示しない貫通孔を介して挿着される。
【００７３】
続いて、本実施形態の遮蔽装置の各部材の位置関係について説明する。
本実施形態の遮蔽装置１は、上記したように、遮蔽部材２を、固定手段３を介して、既設の遊技機島３０に好適に固定できるものである。
【００７４】
すなわち、遮蔽装置１は、図２に示すように、遮蔽板５の長手方向両端部に接続部材６が装着されており、その接続部材６に対して、固定手段３が取り付けられている。
固定手段３は、上記したように、上部固定部１２と、下部固定部１３により構成されている。
つまり、遮蔽板５の長手方向一方の端部には、上部固定部１２が取り付けられ、他方の端部には、下部固定部１３が取り付けられている。
【００７５】
上部固定部１２は、上記したように、取付部材２５と、中間部材２６と、保持部材２７の３つの主要部材によって構成されており、回動機能と、伸縮機能が付与された構造となっている。そして、本実施形態では、取付部材２５と中間部材２６との間に、回動機能が付与され、中間部材２６と保持部材２７との間に、伸縮機能が付与されている。
【００７６】
すなわち、上部固定部１２は、図１４に示すように、取付部材２５と中間部材２６を、軸部材１５で接続して、中間部材２６の取付部材２５に対する相対的な回動を可能にすると共に、中間部材２６と保持部材２７を、伸縮機構１６で接続して、保持部材２７の中間部材２６に対する相対的な移動（雄ねじ部８５の軸方向の移動）を可能にしている。つまり、本実施形態では、軸部材１５によって、回動機能が付与され、伸縮機構１６によって、伸縮機能が付与されている。
【００７７】
そして、上部固定部１２は、保持部材２７の保持側係合部２４を介して、遮蔽部材２の接続部材６に接続されている。より詳細には、上部固定部１２と遮蔽部材２は、図１の拡大部に示すように、保持側係合部２４における、固定係合体１７の係合突起１０１と、移動係合体１８の係合壁１０５の間に、接続部材６の接続係合部２２を配し、互いに係合させて接続している。このとき、上部固定部１２は、取付部材２５の固定側部材３７が、遮蔽板５に設けられた欠落部ｋが位置する辺と対向する側の辺に近づいた姿勢となっている。
【００７８】
なお、保持側係合部２４と、接続係合部２２とを好適に係合させる方法としては、例えば、まず接続係合部２２の一部を保持側係合部２４の係合突起１０１に配し、その後、接続係合部２２の残りの部分を保持側係合部２４の係合壁１０５の傾斜部Ｓに押し付けるようにして取り付ける方法が推奨される。
【００７９】
一方、下部固定部１３は、嵌合部材２８に設けられた保持側係合部２９を介して、遮蔽部材２の接続部材６に接続されている。すなわち、下部固定部１３と遮蔽部材２は、上部固定部１２と同様、保持側係合部２９における、固定係合体１７の係合突起１０１と、移動係合体１８の係合壁１０５の間に、接続部材６の接続係合部２２を配し、互いに係合させて接続している（図１の拡大部）。このとき、下部固定部１３は、嵌合部材２８の接続壁１１２の外側面（「コ」字の外側面）が、遮蔽板５に設けられた欠落部ｋが位置する辺側に向けられた姿勢となっている。つまり、下部固定部１３は、嵌合部材２８の「コ」字の内側が、遮蔽板５に設けられた欠落部ｋが位置する辺と対向する側の辺に向けられた姿勢となっている。
【００８０】
次に、本実施形態の遮蔽装置の遊技機島における位置関係について説明する。
本実施形態の遮蔽装置１は、固定手段３を介して、既設の遊技機島３０への固定を可能にしたものである。より具体的には、遮蔽装置１は、遊技機島３０の構成部材たる壁面形成部材３６への設置に好適なものである。
【００８１】
ここで、遊技機島３０の壁面形成部材３６について説明しておく。
壁面形成部材３６は、遊技機島３０の外壁を形成する部材であり、複数に区分された板によって構成されている。すなわち、壁面形成部材３６には、図１に示すように、遊技機島３０の天井壁を構成する天板４１と、天板４１の直下であって遊技機島３０の長手側（遊技機３１が並設された側）に配された幕板４２と、幕板４２と遊技機３１の間に配されたランプ板４３と、遊技機３１の下方に配された腰板４４と、腰板４４のさらに下方に配された幅木４８と、遊技機島３０の長手方向端部に配された妻板４９とがある。また、本実施形態の遊技機島３０には、遊技機３１と腰板４４との間の位置に、当該島３０の外側に張り出した膳板５０が設けられている。この膳板５０は、壁面形成部材３６の一部ともなり得る部分であり、遊技機３１が載置される領域と、遊技機３１から払い出された遊技媒体を貯留可能な貯留箱等を載置できる領域を有する。
【００８２】
そして、本実施形態の遮蔽装置１は、図１に示すように、前記壁面形成部材３６のランプ板４３及び膳板５０を介して、遊技機島３０における遊技機３１同士の間の位置への固定を可能にしている。
【００８３】
すなわち、遮蔽装置１は、図１５に示すように、ランプ板４３の上端側に上部固定部１２が固定され、膳板５０の張出端部側に下部固定部１３が固定されている。より詳細には、上部固定部１２は、取付部材２５における固定側部材３７の上部屈曲部６１がランプ板４３の上端側に引っ掛けられ、そして調整保持具８０を用いて、強固に固定されている。また同様に、下部固定部１３は、嵌合部材２８の「コ」字の内側に膳板５０の前端側が嵌め込まれ、調整保持具８４を用いて、強固に固定されている。これにより、上部固定部１２及び下部固定部１３に接続された遮蔽部材２は、遮蔽板５が遊技機島３０から張り出すような姿勢となる。
【００８４】
以上のように、本実施形態の遮蔽装置１は、壁面形成部材３６たるランプ板４３と膳板５０を介して取り付け可能であるため、既設の遊技機島３０であっても、大掛かりな工事を要することなく容易に設置することができる。
また、本実施形態の遮蔽装置１は、固定手段３が、遊技機島３０における遊技機３１の設置高さから外れた位置、具体的にはランプ板４３及び膳板５０の高さ位置、に配される構造となっているため、遊技機３１同士の間に設置する場合であってもスペースを殆ど要さない。すなわち、本実施形態では、遊技機３１同士の間（台間）に要するスペースは、遮蔽板５の厚み程度あればよいので、台間が十分にとれない遊技場であっても、好適に設置することが可能である。
【００８５】
続いて、本実施形態の遮蔽装置の機能について説明する。
本実施形態の遮蔽装置１には、煙草の煙等の拡散を抑制するべく、隣接する遊技空間を遮蔽板５で区分する遮蔽機能が備えられている。すなわち、本実施形態では、図１、図１５に示すように、遮蔽板５を、遊技機島３０に対してほぼ直交する方向に張り出した姿勢で固定され、当該遮蔽板５によって、隣接する遊技空間を区分している。これにより、遊技機島３０では、例えば、遊技者のうちの１人が煙草を吸う行為を行い、その煙が周辺に漂うような状況が形成されたとしても、その煙を遮蔽板５によって遮蔽することができるため、喫煙者以外の近辺に煙が浮遊してしまうことが抑制される。
【００８６】
また、本実施形態では、取付部材２５と中間部材２７とを接続した軸部材１５によって、中間部材２７を取付部材２５に対して相対的に回動する構造にしたため（回動機能）、外力によって受ける遮蔽板５の負荷を軽減することができる。すなわち、本実施形態の遮蔽装置１は、遮蔽板５に対して、遊技者や作業者等が衝突して外力が掛けられたとしても、その外力の大半は、中間部材２７の回動動作に消費される。このため、遮蔽板５における負荷は大幅に軽減される。
【００８７】
より詳細に説明すると、台間に配された遮蔽板５は、通常の姿勢においては、図１６（ａ）に示すように、台間からほぼ直交するような姿勢で張り出しているが、遮蔽板５の平面に対して、外力Ｆが作用すると、図１６（ｂ）に示すように、中間部材２６が軸部材１５を基準に、外力Ｆの作用方向に回動する。そしてそれに連動して、保持部材２７が回動して、遮蔽板５を揺動させる。つまり、本実施形態の遮蔽装置１は、遮蔽板５が外力Ｆに対して大きく抗することなく、揺動動作が可能であるため、遮蔽板５の固定側の基端部に掛かる負荷を大幅に軽減することができる。したがって、本実施形態では、遮蔽板５の基端部に破損等が起こる可能性が低い。
【００８８】
また、本実施形態では、中間部材２６と保持部材２７とを接続した伸縮機構１６によって、保持部材２７を中間部材２６に対して相対的に移動可能な構造にしたため（伸縮機能）、設置環境の条件の緩和を図ることができる。すなわち、本実施形態の遮蔽装置１は、遊技機島３０の大きさ、特に高さ方向の大きさが、いかなるものであっても、伸縮機能によって、その高さに対応させることが可能である。このため、部品の汎用性を高めることができる。
【００８９】
より詳細に説明すると、本実施形態の遮蔽装置１は、ランプ板４３と膳板５０を介して、固定するものである。つまり、遮蔽装置１の設置環境の条件は、少なくともランプ板４３と膳板５０の間の距離（高さ）が大きく関係する。そのため、本実施形態の遮蔽装置１では、固定手段３たる上部固定部１２と下部固定部１３の間の距離を、一般的に使用される遊技機島の大きさに合わせた設定となっている。一般的な遊技機島であれば、図１７（ａ）に示すように、伸縮機能を発揮させることなく、遊技機島に設置することが可能である。
【００９０】
一方で、遊技場によっては、遊技機島の大きさが、一般的な遊技機島の大きさよりも大きい場合もあるが、その場合は、伸縮機能を発揮させることで、そのような大きな遊技機島にも設置が可能となる。すなわち、本実施形態によれば、大きな遊技機島に設置する場合、図１７（ｂ）に示すように、中間部材２６と保持部材２７との間の距離ｐを広げて、上部固定部１２と下部固定部１３との間の距離Ｌを実質的に大きくする（Ｌ＋Δｌ）ことで、当該遊技機島への設置が可能となる。
【００９１】
上記実施形態では、上部固定部１２が、取付部材２５と、中間部材２６と、保持部材２７の３部材によって構成されたものを示したが、本発明はこれに限定されず、中間部材２６を介在させずに、取付部材２５と、保持部材２７とを接続したものであっても構わない。
【００９２】
上記実施形態では、上部固定部１２に、回動機能及び伸縮機能を付与した構成を示したが、本発明はこれに限定されず、上部固定部１２に替えて、あるいは、加えて、下部固定部１３が同様の構成を具備したものであっても構わない。また、上部固定部１２（あるいは下部固定部１３）に回動機能を付与し、下部固定部１３（あるいは上部固定部１２）に伸縮機能を付与した構成であっても構わない。
【００９３】
上記実施形態では、遮蔽板５に欠落部ｋを設けた構成を示したが、本発明はこれに限定されず、欠落部ｋを有さない遮蔽板を採用しても構わない。
【００９４】
上記実施形態では、遮蔽装置１をランプ板４３及び膳板５０に取り付ける構成を示したが、本発明はこれに限定されず、遊技機３１同士の間に十分なスペースがあれば、その間の壁面に取り付けた構成であっても構わない。ただし、この構成を採用する場合は、固定手段３の構造を他の構造に変更する必要がある。
【符号の説明】
【００９５】
１    遮蔽装置
２    遮蔽部材
３    固定手段
５    遮蔽板
１２    上部固定部
１３    下部固定部
２５    取付部材
２６    中間部材
２７    保持部材
３０    遊技機島
３１    遊技機
３６    壁面形成部材
５０    膳板
【図１】
2015016224.tif 000003
【図２】
2015016224.tif 000004
【図３】
2015016224.tif 000005
【図４】
2015016224.tif 000006
【図５】
2015016224.tif 000007
【図６】
2015016224.tif 000008
【図７】
2015016224.tif 000009
【図８】
2015016224.tif 000010
【図９】
2015016224.tif 000011
【図１０】
2015016224.tif 000012
【図１１】
2015016224.tif 000013
【図１２】
2015016224.tif 000014
【図１３】
2015016224.tif 000015
【図１４】
2015016224.tif 000016
【図１５】
2015016224.tif 000017
【図１６】
2015016224.tif 000018
【図１７】
2015016224.tif 000019
【図１８】
2015016224.tif 000020